(57)【要約】【課題】  混在する長さの異なる物品の中から所定長さの物品を確実に選別することができる所定長さ物品選別装置を提供することにある。【解決手段】  異なる長さ（Ａ>Ｂ>Ｃ）の混在する物品を移動する細長溝１２付き第１移動手段６と、第１移動手段６から隙間Ｘを介して長さＡの物品を受け取る第１受け板部７と、隙間Ｘから落下した長さＢ、Ｃの物品を受け取る細長溝１７付き第２移動手段８と、第２移動手段８から隙間Ｙを介して長さＢの物品を受け取る第２受け板部９と、隙間Ｙから長さＣの物品を受け取るスライド部(支持体)と、第１、２移動手段、第１、２受け板部、スライド部(支持体)を振動させる振動手段とからなる所定長さ物品選別装置。【選択図】    図１
2006035071.tif 000002
【特許請求の範囲】
【請求項１】
異なる長さ（Ａ>Ｂ>Ｃ）の混在する物品を、第１載置部に並列に設けた複数の細長溝に落とし込んで前方に移動させる第１移動手段と、上記の物品の内、長さＡの物品と他の長さＢ、Ｃの物品とを選別できるように、上記の第１載置部の前方に、長さＢ、Ｃの物品を落下させる間隔を以って長さＡの物品を受け取るように設けた第１受け板部と、上記の落下させた長さＢ、Ｃの物品を、第２載置部に並列に設けた複数の細長溝に落とし込んで前方に移動させる第２移動手段と、上記の第２載置部の前方に、長さＣの物品を落下させる間隔を以って長さＢの物品を受け取るように設けた第２受け板部と、上記の第１移動手段と第１受け板部と第２移動手段と第２受け板部とに上記の物品を移動させる振動を与える振動手段と、を備えてなることを特徴とする所定長さ物品選別装置。
【請求項２】
架台と、この架台の上に弾発手段を介して設けた支持体と、この支持体を振動させる振動手段と、上記の支持体の上に設けた、異なる長さ（Ａ>Ｂ>Ｃ）の混在する物品を、第１載置部に並列に設けた複数の細長溝に落とし込んで前方に移動させる第１移動手段と、上記の物品の内、長さＡの物品と他の長さＢ、Ｃの物品とを選別できるように、上記の第１載置部の前方に、長さＢ、Ｃの物品を落下させる間隔を以って長さＡの物品を受け取るように設けた第１受け板部と、上記の落下させた長さＢ、Ｃの物品を、第２載置部に並列に設けた複数の細長溝に落とし込んで前方に移動させる第２移動手段と、上記の第２載置部の前方に、長さＣの物品を落下させる間隔を以って長さＢの物品を受け取るように設けた第２受け板部と、を備えてなることを特徴とする所定長さ物品選別装置。
【請求項３】
第１受け板部の第１載置部側の端部の上方、並びに第２受け板部の第２載置部側の端部の上方に、振動によって移動されてくる物品を案内するガイドバーを設けたことを特徴とする請求項１または２記載の所定長さ物品選別装置。
【発明の詳細な説明】
【技術分野】
【０００１】
本発明は、混在して異なる長さの物品の中から所定長さの物品を選別する選別装置に関し、特に連鎖状ソーセージを各結節部等で切断されて分離された個々のソーセージを、所定長さのソーセージに選別することができる所定長さ物品選別装置に関するものである。
【背景技術】
【０００２】
一般的なソーセージ製造工程は、食肉充填機により、ケーシング（腸）に原料（ミンチ肉等）を詰め、所定間隔でねじることにより連鎖状ソーセージ（生）を形成し、この連鎖状ソーセージをスモーク（薫煙）用の竿に螺旋ループ状に巻き掛けて台車に積み、スモーク室に入れてソーセージのスモーク（加熱処理）を行い、スモークが済んだら台車をスモーク室から出して、竿に巻き掛けてある連鎖状ソーセージを個々のソーセージに分離している。
【０００３】
しかし、個々のソーセージに分離する場合にも誤って連鎖状ソーセージの結束部以外の箇所を切断したり、分離したソーセージが作業中に折れたり、また、連鎖状ソーセージ（生）の状態のときに結束部が戻って隣接するソーセージどうしが繋がって長いソーセージになったりすることがある。そのため、個々のソーセージを袋詰めにする前に、これらの長さの異なるソーセージから適正な長さのソーセージとその他の長さのソーセージとを選別しなければならない。そこで、従来は、人が目で見て確認にしながら選別している。そのため、手間も時間もかかり非効率であり、また、熟練者でないと選別ミスを犯してしまうこともある。
【０００４】
そこで、人の目による選別ではなくて、所定長さのソーセージのみを落下させる複数の長孔を形成したプレート等を備えた選別装置を使って、所定長さのソーセージと他の長さのソーセージとを、上記のプレート上を移動させて選別することも考えられているが、長孔の端に移動してくるソーセージの先端部が引っ掛かったりして必ずしも確実に所定長さのソーセージを長孔から落下させて選別できるものでもなかった。
【０００５】
なお、選別装置に関する参考文献としては次のような文献がある。
【特許文献１】特願平１１−２３６３９２号公報
【特許文献２】特開平６−１２５７６０号公報
【発明の開示】
【発明が解決しようとする課題】
【０００６】
本発明は上記のような点に鑑みて開発されたものであり、その目的は、混在する長さの異なる物品（ソーセージ等）の中から所定長さの物品を確実に選別することができる所定長さ物品選別装置を提供することにある。
【課題を解決するための手段】
【０００７】
上記のような目的を有効に達成するために、請求項１に記載の本発明は、異なる長さ（Ａ>Ｂ>Ｃ）の混在する物品を、第１載置部に並列に設けた複数の細長溝に落とし込んで前方に移動させる第１移動手段と、上記の物品の内、長さＡの物品と他の長さＢ、Ｃの物品とを選別できるように、上記の第１載置部の前方に、長さＢ、Ｃの物品を落下させる間隔を以って長さＡの物品を受け取るように設けた第１受け板部と、上記の落下させた長さＢ、Ｃの物品を、第２載置部に並列に設けた複数の細長溝に落とし込んで前方に移動させる第２移動手段と、上記の第２載置部の前方に、長さＣの物品を落下させる間隔を以って長さＢの物品を受け取るように設けた第２受け板部と、上記の第１移動手段と第１受け板部と第２移動手段と第２受け板部とに上記の物品を移動させる振動を与える振動手段と、を備えてなることを特徴とする所定長さ物品選別装置である。
【０００８】
請求項２に記載の本発明は、架台と、この架台の上に弾発手段を介して設けた支持体と、この支持体を振動させる振動手段と、上記の支持体の上に設けた、異なる長さ（Ａ>Ｂ>Ｃ）の混在する物品を、第１載置部に並列に設けた複数の細長溝に落とし込んで前方に移動させる第１移動手段と、上記の物品の内、長さＡの物品と他の長さＢ、Ｃの物品とを選別できるように、上記の第１載置部の前方に、長さＢ、Ｃの物品を落下させる間隔を以って長さＡの物品を受け取るように設けた第１受け板部と、上記の落下させた長さＢ、Ｃの物品を、第２載置部に並列に設けた複数の細長溝に落とし込んで前方に移動させる第２移動手段と、上記の第２載置部の前方に、長さＣの物品を落下させる間隔を以って長さＢの物品を受け取るように設けた第２受け板部と、を備えてなることを特徴とする所定長さ物品選別装置である。
【０００９】
請求項３に記載の本発明は、請求項１または２記載の所定長さ物品選別装置の構成において、第１受け板部の第１載置部側の端部の上方、並びに第２受け板部の第２載置部側の端部の上方に、振動によって移動されてくる物品を案内するガイドバーを設けたことを特徴とする所定長さ物品選別装置である。
【発明の効果】
【００１０】
本発明の所定長さ物品選別装置によれば、異なる長さ（Ａ>Ｂ>Ｃ）の混在する物品から所望長さの物品（ＡまたはＢまたはＣ）を、自動的にかつ確実に効率良く選別することができる。また、第１載置部並びに第２載置部には複数の細長溝が並設してあるため、振動手段による振動によって各細長溝に落ち込んだ異なる長さ（Ａ>Ｂ>Ｃ）の各物品は、下流の移動方向に強制的に先端を向けられることになり、各載置部から各受け板部への選別時の渡り込みも問題なく行うことができる。
【００１１】
さらに、物品を案内するガイドバーを設けることによって、 第１移動手段から第１受け板部へ、並びに第２移動手段から第２受け板部へ、各長さの物品の重心バランスの崩れによる落下時に、落ちる物品を接触させて先送の案内補助ができ、異なる長さの物品の選別をより確実なものとすることができる。
【発明を実施するための最良の形態】
【００１２】
以下、本発明を実施するための最良の形態を添付の図に基いて説明する。
図１〜図４は本発明にかかる一例の所定長さ物品選別装置（以下、選別装置という。）に関する図であって、図示の選別装置１は、異なる長さ（Ａ>Ｂ>Ｃ）の混在する物品から所定長さＢの物品を他の長さＡ、Ｃの物品と選別して取り出すものであって、架台２、弾発手段３、支持体４、振動手段５、第１移動手段６、第１受け板部７、第２移動手段８、および第２受け板部９によって構成されている。
【００１３】
なお、この選別装置１では、異なる長さＡ、Ｂ、Ｃの物品をそれぞれ別々に取り出すことができる。また、異なる長さＡ、Ｂ、Ｃの物品としてはソーセージを例示する。
【００１４】
そこで、上記の選別装置１をより具体的に説明すると、先ず架台２(図１、図４参照)は、直方体形状の枠体２ａの四隅を支持脚２ｂで支持し、この枠体２ａの上部の片側(物品の流れの上流側)に支持部２ｃを設けた構成である。
【００１５】
上記の弾発手段３としてはコイルバネが使用され、このコイルバネ３ａは枠体２ａの上記した上流側の両側に設けた各支持部２ｃの上端、並びに枠体２ａの下流側の両側に直接、それぞれ設けてある。
【００１６】
上記の支持体４は、両横杆部４ａ、４ｂ、並びに上記した上流側を高くし下流側を低くした滑り台状のスライド部２０とからなる。各横杆部４ａ、４ｂは、枠体２ａの上流側の両側並びに下流側の両側のコイルバネ３ａの上にそれぞれ架け渡して設けてある。また、上記のスライド部２０は、両横杆部４ａ、４ｂに両端近傍の底部を支持されるようにして設けてある。
【００１７】
このスライド部２０には、後述する第１移動手段６、第１受け板部７、第２移動手段８、および第２受け板部９が固定して設けてある。
【００１８】
上記の支持体４の裏面の中央には、支持体４を介して第１移動手段６、第１受け板部７、第２移動手段８、および第２受け板部９を振動させる振動手段５が設けてある。振動手段５は図示省略するが偏芯カムを駆動モータ等によって回転させ、この偏芯カムの当接するスライド部２０を振動させて、第１移動手段６、第１受け板部７、第２移動手段８、および第２受け板部９を同時に振動させるものである。
【００１９】
第１移動手段６(図１参照)は、複数本の支持柱１０を介してスライド部２０の上流側に設けられている。この第１移動手段６(図２、図３参照)は、横断面概略凹状に形成した第１載置部１１の底部に並列に複数の細長溝１２を形成したものである。この細長溝１２は、上記した振動手段５の振動によって例示の物品であるソーセージを落とし込んで滑らせ、前方(下流側)に移動させることができる細長い縦溝であり、連続する凹凸加工によって形成されている。細長溝１２の幅は、図５（ａ）（ｂ）に示すようにソーセージＳの径より大きく、真直ぐなソーセージは勿論のこと曲がったソーセージも余裕を以って細長溝１２内に落とし入れて滑らすことができる大きさである。
【００２０】
この第１移動手段６の第１載置部１１の下流側(図１参照)には、長さＢ、Ｃのソーセージを落下させる間隔Ｘ（Ａ>Ｘ>Ｂ>Ｃ）を以って、長さＡのソーセージを受け取る第１受け板部７が支持柱１０ａ、１０ｂを介してスライド部２０の中間位の位置に設けられている。
【００２１】
また、第１受け板部７の第１載置部１１側の端部７ａの上方にはガイドバー１３が設けられている。このガイドバー１３は、上記した振動によって第１載置部１１側から移動されてくる長さＡのソーセージが第１載置部１１から送り出された時に重心バランスを崩しても、ガイドバー１３でソーセージの先端部を受け、上記の間隔Ｘの隙間１４から落下するのを防ぎ、確実に第１載置部１１から第１受け板部７側に乗り移らせることができるようにしてある。
【００２２】
さらに、天然の腸を使ったソーセージでは、真直ぐな物よりは曲がったものが多く、図６（ａ）（ｂ）（ｃ）に示すように第１載置部１１から送り出された時に、曲がったソーセージＳでは（ｃ）に示すように先端部が第１受け板部７側に渡り着るまでに隙間Ｘから落下する可能性があるが、落下するソーセージＳの先端部がこのガイドバー１３の上に当たって第１受け板部７側に渡されることになる。したがって、曲がったソーセージＳも確実に第１受け板部７側に送ることができる。また、図６（ｃ）のＨとＬの寸法を変えることによって、ソーセージＳの曲がりにより確実に対応することができる。
【００２３】
上記の第１受け板部７(図１〜図３参照)は、長さＡのソーセージを上記の振動によって滑らせて側方に導くように形成された変形滑り台状のものであって、上記の側方に排出口１５を有している。長さＡのソーセージは、この排出口１５から排出されて例えば回収箱（図示せず）に回収される。
【００２４】
また、上記の隙間１４から落下した長さＢ、Ｃのソーセージを受け取る第２移動手段８が、一端部８ａを隙間１４の下方に位置させて、スライド部２０の上部に沿って設けてある。
【００２５】
この第２移動手段８(図１、図２、図４参照)は、上記した第１移動手段６と同様の構成のものであって、横断面概略凹状に形成した第２載置部１６の底部に並列に複数の細長溝１７を形成したものである。長さＢ、Ｃのソーセージは、上記した振動によって第２載置部１６の細長溝１７に落ち込んで滑りながら下流側に移動される。
【００２６】
この第２移動手段８の第２載置部１６の前方（下流側）には、長さＣのソーセージを落下させる間隔Ｙ（Ｂ>Ｙ>Ｃ）を以って、所定長さＢのソーセージを受け取る第２受け板部９がスライド部２０の下流側に底部９を傾斜させて設けられている。
【００２７】
また、第２受け板部９の第２載置部１６側の端部９ｂの上方には、上記したガイドバー１３と同様の働きを成すガイドバー１８が設けられていて、第２載置部１６側から上記した振動によって移動されてくる長さＢのソーセージが第２載置部１６から送り出された時に重心バランスを崩しても、ガイドバー１８でソーセージの先端部を受けて、上記の間隔Ｙの隙間１９から落下するのを防ぎ、所定長さＢのソーセージを確実に第２受け板部９側に乗り移らせることができるようにしてある。
【００２８】
第２受け板部９は、滑り台のような形状であって所定長さＢのソーセージを第２移動手段８側から受け取り、前方に滑らして移動できるようにしたものである。
【００２９】
また、上記の隙間１９から落下する長さＣ(最も短い長さ)のソーセージは、スライド板部２０上に落下する。スライド板部２０の下端部２０ａ側には、長さＣのソーセージを排出する排出口２１が設けてある。排出口２１から排出される長さＣのソーセージは、回収箱２２に回収される。
【００３０】
上述のような構成から成る所定長さ物品選別装置１により、異なる長さ（Ａ>Ｂ>Ｃ）の混在するソーセージから所定長さＢの物品（ソーセージ）を選別する場合は、先ず振動手段５を作動させて、支持体４を介して第１移動手段６、第１受け板部７、第２移動手段８、および第２受け板部９を同時に振動させる。
【００３１】
このようにした後に、異なる長さ（Ａ>Ｂ>Ｃ）の混在するソーセージを第１移動手段６の第１載置部１１の上に載せる。この長さの異なる各ソーセージは、振動によって第１載置部１１の各細長溝１２に落ち込んで、第１受け板部７側に滑りながら移動していく。
【００３２】
第１載置部１１の端１１ａに到達した上記の各ソーセージは、さらに第１受け板部７側に送り出されていく。この時、第１載置部１１の端１１ａと、第１受け板部７の端部７ａとの隙間Ｘよりも短い長さＢ、Ｃのソーセージは、下方の第２移動手段８の第２載置部１６の上に落下していく。
【００３３】
また、上記の隙間Ｘよりも長い長さＡのソーセージは、ガイドバー１３に補助されて第１受け板部７に乗り移り、振動による滑りによって排出口１５から排出されていく。
【００３４】
一方、第２移動手段８の第２載置部１６の上に落下した長さＢ、Ｃのソーセージは、振動によって第２載置部１６の各細長溝１７に落ち込んで滑りながら第２受け板部９側に移動していく。
【００３５】
第２載置部１６の端１６ａに到達した長さＢ、Ｃのソーセージは、第２受け板部９側に送り出されていく。この時、第２載置部１６の端１６ａと第２受け板部９の端部９ａとの隙間Ｙよりも短い長さＣのソーセージは、下方のスライド板部２０の上に落下する。
【００３６】
また、上記の隙間Ｙよりも長い長さＢのソーセージは、ガイドバー１８に補助されて第２受け板部９に乗り移り、振動による滑りによって排出口２３から排出されていく。
【００３７】
一方、スライド板部２０の上に落下した長さＣのソーセージは、振動によって滑りながら排出口２１から排出されていく。
【００３８】
このように本発明の選別装置１によれば、異なる長さ（Ａ>Ｂ>Ｃ）の混在するソーセージから適正長さ（所定長さ）のソーセージを、人手を要することなく自動的にかつ確実に選別することができる。
【００３９】
なお、本発明にかかる第１移動手段および第２移動手段は、表面部に並列に細長い複数の細長溝を形成したベルトであってもよい。また、第１受け板部７並びに第２受け板部９の各載置部側１１、１６側の端は、連続する凹凸形状に形成して、各載置部１１、１６側から乗り移ってくる少し曲がった物品が、上記の端の凸部分に当接して円滑に乗り移り選別できるようにしてもよい。
【図面の簡単な説明】
【００４０】
【図１】本発明の所定長さ物品選別装置の正面図である。
【図２】本発明の所定長さ物品選別装置の平面図である。
【図３】図２のＶ―Ｖ位置の説明図である。
【図４】図２のＷ―Ｗ位置の説明図である。
【図５】図５（ａ）（ｂ）は細長溝とソーセージとの関係を示す説明図である。
【図６】図６（ａ）（ｂ）（ｃ）はソーセージと隙間Ｘ並びにガイドバー１３との関係を示す説明図である。
【符号の説明】
【００４１】
１      所定長さ物品選別装置
２      架台
３      弾発手段
４      支持体
５      振動手段
６      第１移動手段
７      第１受け板部
８      第２移動手段
９      第２受け板部
１１    第１載置部
１２    細長溝
１３    ガイドバー
１６    第２載置部
１７    細長溝
Ｘ      間隔
Ｙ      間隔
【図１】
2006035071.tif 000003
【図２】
2006035071.tif 000004
【図３】
2006035071.tif 000005
【図４】
2006035071.tif 000006
【図５】
2006035071.tif 000007
【図６】
2006035071.tif 000008